(57)【特許請求の範囲】
【請求項１】
上面に押圧面を有するボタンと、該ボタンを収容する切り欠きを有する箱とを備え、
前記ボタンは、前記押圧面上に形成された２ヶ所の押圧部と、該押圧部の中間に設けられた該ボタンのシーソー運動用の支点となる軸と、該軸を含んで前記押圧面の下方に延びるスイッチ操作用の腕部と、該腕部の前記軸の長手方向両側に設けられた補強用のリブと、最大で前記押圧面と等しい面積で前記腕部の両側からシーソー作動方向に突出するように設けられた片持ちの弾性体とを有し、
前記箱は、前記切り欠きの内部に、前記軸を回動自在に支持する軸受けと、前記ボタンが前記軸を中心にしてシーソー動作すると前記弾性体が弾性変形して反発力をもたらす接触部と、前記切り欠きの下方に設けられた基板と、該基板に設けられ前記腕部が貫通する切り欠き部と、該基板の裏面に設けられ、前記切り欠き部を貫通して延びる前記腕部の前記ボタンのシーソー動作による揺動動作によっていずれかが操作される対向した一対のスイッチとを有してなることを特徴とする電子機器のシーソーボタン。
【発明の詳細な説明】
【０００１】
【発明の属する技術分野】
本発明は例えば個別呼出用受信機のような電子機器のシーソーボタン装置に関する。
【０００２】
【従来技術】
従来、電子機器のシーソーボタン装置は、実開昭６２−９８１２４号、特開平４−１７９０１４号、特開平４−１６９０１９号、特開昭６３−２５４６２９号、実開平４−２９１３９号等に開示されている。
【０００３】
例えば、実開平４−２９１３９号公報に記載のシーソースイッチは、底面に半円状の突出部と折り曲げ自在のツメを設けた筐体と、ツメを受容する切欠部とこれと一体に設けられた段差を有するガイド部よりなる上記筐体に圧入されツメを折り曲げて筐体に装着されるボタンと、ボタン下部のスイッチを押圧する押圧子より構成されている。
【０００４】
【発明が解決しようとする課題】
このような構成になる従来のシーソーボタン装置は次のような問題点を有する。
（１）  スイッチを並列に置き、ボタン押下リブの真下にスイッチ操作部が位置する構造をとるため、少なくともスイツチの操作部の距離が必要のため、ボタンを大きくせざるを得なかった。すなわち、ボタン押圧面が大きくなる。
（２）  ボタンおよび箱と基板との間にスイッチを置く構造をとるため、少なくともボタンおよび箱と基板との間にスイッチ厚分の空間を設けざるを得なかった。すなわち、装置の厚さが厚くなる。
（３）  ボタン押圧面の真下にスイッチの操作部が位置しているため、ボタン押圧面を２箇所同時に押して左右のスイッチを同時にＯＮにする怖れがある。
【０００５】
本発明は上述の点にかんがみてなされたもので、ボタンを小型にでき、かつ装置の厚さを薄くすることができ、かつスイッチの同時押しを防止することができる電子機器のシーソーボタン装置を提供することを目的とする。
【０００６】
【課題を解決するための手段】
本発明は上記の目的を達成するために、上面に押圧面を有するボタンと、該ボタンを収容する切り欠きを有する箱とを備え、前記ボタンは、前記押圧面上に形成された２ヶ所の押圧部と、該押圧部の中間に設けられた該ボタンのシーソー運動用の支点となる軸と、該軸を含んで前記押圧面の下方に延びるスイッチ操作用の腕部と、該腕部の前記軸の長手方向両側に設けられた補強用のリブと、最大で前記押圧面と等しい面積で前記腕部の両側からシーソー作動方向に突出するように設けられた片持ちの弾性体とを有し、前記箱は、前記切り欠きの内部に、前記軸を回動自在に支持する軸受けと、前記ボタンが前記軸を中心にしてシーソー動作すると前記弾性体が弾性変形して反発力をもたらす接触部と、前記切り欠きの下方に設けられた基板と、該基板に設けられ前記腕部が貫通する切り欠き部と、該基板の裏面に設けられ、前記切り欠き部を貫通して延びる前記腕部の前記ボタンのシーソー動作による揺動動作によっていずれかが操作される対向した一対のスイッチとを有して電子機器のシーソーボタンを構成した。
【００１２】
【発明の実施の形態】
以下、本発明の実施例を図面に基づいて説明する。
（１）第一実施例（図１〜４）
図１は本発明による電子機器のシーソーボタン装置の一実施例の部品分解斜視図である。
【００３２】
箱１はボタン２の押圧面２ａより一回り大きい切り欠き部１ａを有している。切り欠き部１ａの内側にはボタン２が有する片持ち弾性体２ｆと接触する接触ガイド１ｂを有し、切り欠き部１ａの側面中央下部には、基板３の位置決めに用いるリブ１ｃが設けられている。リブ１ｃにはボタン２が有するリブ２ｄ上の軸２ｅを保持する溝状の軸受け１ｄが設けられている。
【００３３】
ボタン２には、押圧面２ａの裏面上の両押圧部の中央に腕部（以下リブ２ｃとする。）を有する。リブ２ｃの両側側面にはリブ２ｃの強度の向上のため、およびボタン２がシーソー運動したときに接触しないように先端が半円状になったリブ２ｄが設けられている。リブ２ｄ上にシーソーの支点となる軸２ｅが設けられている。また、リブ２ｃのシーソー作動方向の両側に片持ち弾性体２ｆが設けられている。
【００３４】
基板３には、スイッチ操作部に位置する箇所に切り欠き部３ａが設けられており、基板３の裏面には、それぞれ側面に操作部４ａを有する２つのスイッチ４が、基板３の切り欠き部３ａから操作部４ａが見える位置に、これらの操作部４ａを互いに対向させて取り付けられている。
【００３５】
図２は、図１の各部品を組み立てた状態の図１のＥ−Ｅ線に沿う断面図である。
【００３６】
図２において、ボタン２は箱１にその上方から圧入され、ボタン２の軸２ｅが箱１の軸受け１ｄに嵌り固定される。
【００３７】
図３は図１の各部品を組み立てた状態の図１のＦ−Ｆ線に沿う断面図である
【００３８】
ボタン２が箱１にその上方から圧入されたとき、ボタン２の２つの片持ち弾性体２ｆの下面は共に箱１の接触ガイド１ｂの上面に接触し、微小に弾性変形し、ボタン２は軸２ｅと片持ち弾性体２ｆで箱１を挟む形となる。また、ボタン２のリブ２ｃは基板３の切り欠き部３ａを通過し、基板３の裏面上に取りつけられている２つのスイッチ４の間に位置する。
【００３９】
図４は本発明によるシーソーボタン装置の図３のボタンの作動時の断面図であり、（ａ）はボタンの左側押圧部を押し下げた場合を示し、（ｂ）はボタンの右側押圧部を押し下げた場合を示す。
【００４０】
ボタン２の左側押圧部２ｂを押下すると、ボタン２の軸２ｅを支点としてリブ２ｃが右側のスイッチ４の操作部４ａを押下し、スイッチ４が作動する。このとき、ボタン２の右側片持ち弾性体２ｆの下面は、箱１の接触ガイド１ｂの上面から離れるが、左側片持ち弾性体２ｆの下面は、箱１の接触ガイド１ｂの上面にて押えられ弾性変形している。ボタン２の左側押圧部２ｂの押下を解除するとボタン２は左側片持ち弾性体２ｆおよびスイッチ４の操作部４ａの復元力で図１１の定位置状態に戻る。ボタンの右側押圧部２ｂを押下した場合は上記説明と対称であり、説明を省略する。
【００４１】
【発明の効果】
以上説明したように、本発明の電子機器のシーソーボタン装置は次のような優れた効果を有する。
（１）本発明では、シーソーボタンの２箇所のボタン押圧部を挟んだ箇所に位置するリブにてスイッチを操作することにより、ボタン押下リブを前記リブとは別個に設ける必要がないため、ボタンを小型にでき、しかも、シーソーボタンの２箇所のボタン押圧部を挟んだ箇所に位置するリブの左右動作にてスイッチの側面にある操作部を押す構成であるから、基板のスイッチ操作部に位置する箇所に切り欠き部を設け、基板の裏面にスイッチを取りつけることができ、ボタンおよび箱と基板との間にスイッチ厚分の空間を設ける必要が無く、スイッチ厚分薄型にできる。
（２）本発明では、ボタン押圧面の真下にスイッチの操作部が存在しない、すなわち、例えば図３においてボタン２の押圧面２ａの真下にはスイッチ４の操作部４ａが存在せず、接触ガイド１ｂが存在するので、ボタン２の押圧面２ａを２箇所同時に押して左右のスイッチを同時にＯＮにする怖れはない。
【図面の簡単な説明】
【図１】本発明による電子機器のシーソーボタン装置の一実施例の部品分解斜視図である。
【図２】図１の各部品を組み立てた状態の図１のＥ−Ｅ線に沿う断面図である。
【図３】図１の各部品を組み立てた状態の図１のＦ−Ｆ線に沿う断面図である。
【図４】本発明によるシーソーボタン装置の図３のボタンの作動時の断面図であり、（ａ）はボタンの左側押圧部を押し下げた場合を示し、（ｂ）はボタンの右側押圧部を押し下げた場合を示す。
【符号の説明】
１  箱
１ａ  切り欠き部
１ｂ  接触ガイド
１ｃ  リブ
１ｄ  軸受け
２  ボタン
２ａ  押圧面
２ｂ  押圧部
２ｃ  腕部（リブ）
２ｄ  リブ
３  基板
３ａ  切り欠き部
４  スイッチ
４ａ  操作部
【図１】
0003626582.tif 000002
【図２】
0003626582.tif 000003
【図３】
0003626582.tif 000004
【図４】
0003626582.tif 000005